(57)【要約】      （修正有）【課題】遮水膜を用いた防水装置とすることで資機材の軽量化を図り、少人数で迅速かつ安全に省スペースでの水防活動を可能とする防水装置、防水方法を提供すること及び防水機構を多様化し必要に応じて防水能力を変化させることのできる防水装置を提供する。【解決手段】ガードレール４を保持する複数本の支柱５の河川３側にそれぞれ固定され立設される支柱材と、それら複数本の支柱材の河川側に固定される遮水シート７と、遮水シートの下端部８を遮水シート７より道路側で固定する設置ピン９と、複数本の支柱材に遮水シートの側端部を固定するシート固定具１１と、複数本の支柱材の上端付近に固定される展張バーと、展張バーの下に遮水シートの上端部を吊着するためのカラビナ等からなる防水装置。支柱材の両側面に長手方向に沿って延びる凹部を設け、複数本の支柱材の隣り合う凹部の間に防水板を設置できるようにすると防水機構を多様化できる。【選択図】図２
2017141601.tif 000002
【特許請求の範囲】
【請求項１】
流水可能領域と防護領域の境界に沿って立設される複数本の支柱材と、
前記境界に沿って前記複数本の支柱材の間に設置される遮水シートと、
前記遮水シートの下端部を前記遮水シートより防護領域側から固定する設置ピンと、
前記支柱材に前記遮水シートの側端部を固定するシート固定具を備え、
前記シート固定具は、少なくとも前記支柱材の上部に固定される
ことを特徴とする防水装置。
【請求項２】
前記シート固定具は、前記支柱材の長手方向に沿って配置され、少なくとも２箇所において前記支柱材に固定される
ことを特徴とする請求項１に記載の防水装置。
【請求項３】
前記複数本の支柱材の上端付近に固定される展張バーをさらに備え、
前記遮水シートの上端部は、前記複数本の支柱材の中間部において前記展張バーに吊着又は固着される
ことを特徴とする請求項１又は２に記載の防水装置。
【請求項４】
前記支柱材は、両側面に長手方向に沿って延びる凹部を有し、
前記複数本の支柱材の隣り合う前記凹部の間に防水板を設置できるようになっている
ことを特徴とする請求項１〜３のいずれかに記載の防水装置。
【請求項５】
流水可能領域と防護領域の境界に沿って複数本の支柱材を立設し、
前記境界に沿って前記複数本の支柱材の間に遮水シートを設置し、
前記遮水シートの下端部を前記遮水シートより防護領域側から固定し、
前記支柱材の少なくとも上部に前記遮水シートの側端部を固定する
ことを特徴とする防水方法。
【発明の詳細な説明】
【技術分野】
【０００１】
本発明は、洪水など水害発生のおそれがある時に、簡易堤防として設置される防水装置及びその防水装置を設置するための防水方法に関する。
【背景技術】
【０００２】
従来、洪水など水害発生のおそれがある時に、堤防の溢水し易い箇所や施設への出入り口付近に防水装置を設置しているが、人手不足等により重量のある土嚢積みを行うことは困難になってきている。
特に、洪水到達時間が短く急激な水位上昇が特徴である都市型中小河川においては、水防団の高齢化もあり迅速な水防活動が行えない状況となっている。
【０００３】
そのため、水害発生時に迅速に設置することのできる簡易堤防が提案されている。
例えば、特許文献１（特許第５８２４２３５号公報）には、所定間隔で地面（４）上に立設される複数本の支柱（５）と、二つの領域（２）（３）を仕切るように水平方向に延びる遮水膜体（13）と、遮水膜体（13）を各支柱（５）に連結する連結具（14）（15）と、縦壁（19）と、遮水膜体（13）の下端部を縦壁（19）に連結する他の連結具（34）を備える膜式防水装置が記載されている（特に段落００３１〜００４２及び図１〜４を参照）。
また、特許文献２（特表平１１−５０９２８３号公報）には、複数の引抜き可能支柱（15）と、複数の引抜き可能支柱（15）の間に設置される水密障壁（20ａ）を備える護岸締切り装置が記載されている（特に図５及びその説明を参照）。
【先行技術文献】
【特許文献】
【０００４】
【特許文献１】特許第５８２４２３５号公報
【特許文献２】特表平１１−５０９２８３号公報
【発明の概要】
【発明が解決しようとする課題】
【０００５】
しかし、特許文献１に記載されている膜式防水装置は、遮水膜体（13）の下端部を他の連結具（34）によって縦壁（19）に連結するようになっており、遮水膜体（13）を設置する箇所の下に縦壁（19）を設ける必要がある。
そして、他の連結具（34）は遮水膜体（13）の下端部に形成された連結孔（35）に嵌入されるようになっており、遮水膜体（13）より河川側からの作業が必要となるため、河川の水位が高い時には設置作業に危険を伴うという問題があった。
また、特許文献２に記載されている護岸締切り装置は、通常時においては円筒形空洞（16ａ）内部にＨ字形の輪郭を有する部材（22ａ）が遮蔽されるようになっているため、設置に大きなコストがかかるという問題があった。
【０００６】
本発明の第１の課題は、このような問題を解決し、遮水膜を用いた防水装置とすることで資機材の軽量化を図り、少人数で迅速かつ安全に省スペースでの水防活動を可能とする防水装置及びその防水装置を設置するための防水方法を提供することである。
また、本発明の第２の課題は、遮水膜に代えて又は加えて防水板を設置可能とすることで防水機構を多様化でき、必要に応じて防水能力を変化させることのできる防水装置を提供することである。
【課題を解決するための手段】
【０００７】
請求項１に係る発明は、流水可能領域と防護領域の境界に沿って立設される複数本の支柱材と、前記境界に沿って前記複数本の支柱材の間に設置される遮水シートと、前記遮水シートの下端部を前記遮水シートより防護領域側から固定する設置ピンと、前記支柱材に前記遮水シートの側端部を固定するシート固定具を備え、前記シート固定具は、少なくとも前記支柱材の上部に固定されることを特徴とする防水装置である。
【０００８】
請求項２に係る発明は、請求項１に記載の防水装置において、前記シート固定具は、前記支柱材の長手方向に沿って配置され、少なくとも２箇所において前記支柱材に固定されることを特徴とする。
【０００９】
請求項３に係る発明は、請求項１又は２に記載の防水装置において、前記複数本の支柱材の上端付近に固定される展張バーをさらに備え、前記遮水シートの上端部は、前記複数本の支柱材の中間部において前記展張バーに吊着又は固着されることを特徴とする。
【００１０】
請求項４に係る発明は、請求項１〜３のいずれかに記載の防水装置において、前記支柱材は、両側面に長手方向に沿って延びる凹部を有し、前記複数本の支柱材の隣り合う前記凹部の間に防水板を設置できるようになっていることを特徴とする防水装置である。
【００１１】
請求項５に係る発明は、流水可能領域と防護領域の境界に沿って複数本の支柱材を立設し、前記境界に沿って前記複数本の支柱材の間に遮水シートを設置し、前記遮水シートの下端部を前記遮水シートより防護領域側から固定し、前記支柱材の少なくとも上部に前記遮水シートの側端部を固定することを特徴とする防水方法である。
【発明の効果】
【００１２】
請求項１に係る発明によれば、前記遮水シートの下端部を遮水シートより防護領域側から固定する設置ピンを備えているので、遮水シート下端部の固定を防護領域側で行うことができる。
また、シート固定具は支柱材の上部に固定されるので、シート固定具の固定を流水可能領域側へ身を乗り出さずに行うことができる。
そのため、流水可能領域側の水位が高い時に遮水シートを設置し固定する場合においても、迅速かつ安全に水防活動を行うことができる。
【００１３】
請求項２に係る発明によれば、請求項１に係る発明による効果に加えて、シート固定具は支柱材の長手方向に沿って配置され、少なくとも２箇所において支柱材に固定されるので、シート固定具が支柱材からずれることなく遮水シートの上端部から下端部に近い部分までを固定することができる。
そのため、遮水シートが支柱材から離れて膨らんだり、遮水シートの下端部がめくれ上がったりすることを防止できる。
【００１４】
請求項３に係る発明によれば、請求項１又は２に係る発明による効果に加えて、複数本の支柱材の上端付近に固定される展張バーをさらに備え、遮水シートの上端部は、複数本の支柱材の中間部において展張バーに吊着又は固着されるので、複数本の支柱材の中間部における遮水シート上端部の垂れ下がりを防止することができ、遮水シートによる防水力を向上させることができる。
【００１５】
請求項４に係る発明によれば、請求項１〜３のいずれかに係る発明による効果に加えて、支柱材は、両側面に長手方向に沿って延びる凹部を有し、複数本の支柱材の隣り合う凹部の間に防水板を設置できるようになっており、遮水シートに代えて又は加えて防水板を設置できるので、追加的なコストをかけることなく防水機構を多様化できる。
また、高い防水能力を得たい場合や得たい箇所には遮水シートと防水板の両方を設置し、それほど高い防水能力が必要ない場合や箇所には遮水シート又は防水板のいずれかを設置する等、必要に応じて防水能力を変化させることができる。
【００１６】
請求項５に係る発明によれば、流水可能領域と防護領域の境界に沿って複数本の支柱材を立設し、境界に沿って複数本の支柱材の間に遮水シートを設置し、遮水シートの下端部を遮水シートより防護領域側から固定するとともに、遮水シートの側端部を支柱材の上部に固定するので、流水可能領域側の水位が高い時に遮水シートを設置し固定する場合においても、迅速かつ安全に水防活動を行うことができる。
【図面の簡単な説明】
【００１７】
【図１】防水装置の正面図。
【図２】防水装置の側断面図。
【図３】図１のＡ−Ａ面における平面図。
【図４】図１のＢ−Ｂ断面図。
【図５】支柱材の正面拡大図。
【図６】支柱材下端部付近の側面図。
【図７】遮水シートの正面図。
【発明を実施するための形態】
【００１８】
以下、実施例によって本発明の実施形態を説明する。
【実施例】
【００１９】
実施例の防水装置１の正面図を図１に、同防水装置１の側断面図を図２に示す。
実施例の防水装置１は、図１、２に示すように、道路２と河川３の境界に沿って設置されているガードレール４を保持する複数本の支柱５の河川側にそれぞれ固定され立設される高さ６８ｃｍ、幅３０ｃｍ程度の支柱材６と、それら複数本の支柱材６の河川側に固定される遮水シート７と、遮水シートの下端部８を遮水シート７より道路側で固定する設置ピン９と、複数本の支柱材６に遮水シートの側端部１０を固定する高さ６０ｃｍ、幅６ｃｍ程度のシート固定具１１と、複数本の支柱材６の上端付近に固定される展張バー１２と、展張バー１２の下に遮水シートの上端部１３を吊着する（吊り下げて取り付ける）ためのカラビナ１４等を備えている。
【００２０】
図３は図１のＡ−Ａ面における平面図、図４は図１のＢ−Ｂ断面図である。
また、図５は支柱材６の正面拡大図であり、一部裏側の見えない部分も図示してある。
支柱材６は軽量化のため、長手方向に垂直な平面で切った断面が、図４に示すように中空部を有する直方体状の構造となっており、立設した時に道路側となる部分の上下２箇所に道路側へ突出させて設けてあるＵボルト取付部１５、同じく道路側となる部分の両側に第１フランジ部１６、立設した時に河川側となる部分の両側に第２フランジ部１７を有している。
そして、Ｕボルト取付部１５の両側にはＵボルト１８を挿入可能な穴が設けられ、その穴にＵボルト１８の両端を挿入しナット１９で締め付けることにより、支柱材６が支柱５に固定されるようになっている。
【００２１】
第１フランジ部１６と第２フランジ部１７（以下、合わせて「フランジ部」という。）は、いずれも左右に５０ｍｍ程度突出しており、お互いの間隔は約３２ｍｍとなっている。
そして、ほぼ２ｍ間隔で設置されている支柱５に支柱材６を固定した時、図１における左側の支柱材６の右側にあるフランジ部と、右側の支柱材６の左側にあるフランジ部との間隔は１８０ｃｍ弱となっており、これら２つのフランジ部に長さ１８０ｃｍ、幅６５ｃｍ、厚さ３ｃｍ程度の防水板を差し込んで設置できるようになっている。
なお、防水板に代えて折り畳んだ状態において長さと幅が防水板と同様の大きさである会議用テーブルや長さ１８０ｃｍ、幅９０ｃｍ程度の合板や畳も設置可能である。
【００２２】
支柱材６の上端付近には、コの字型ボルト２０を挿入可能な穴が設けられ、その穴に図３に示すようにコの字型ボルト２０の両端が挿入され、ナット２１を締め付けて固定されている。
そして、固定されたコの字型ボルト２０の支柱材６から突出した箇所に、図５に示すように展張バー１２の端部を差し込んで、隣り合う支柱材６の間に展張バー１２を掛け渡すことができるようになっている。
なお、展張バー１２は、比較的剛性のある金属製の丸棒又は角棒であり、その両端は、コの字型ボルト２０の支柱材６から突出した箇所に差し込んで固定できるように、ほぼ直角に曲がっている。
【００２３】
遮水シートの上端部１３から５ｃｍほど下側には、図１に示すように４０ｃｍ程度の間隔でハトメ２２が形成されており、そのハトメ２２には全長２０ｃｍほどのリング２３（紐や針金等）が通してある。
そして、そのリング２３とカラビナ１４を用いて、遮水シートの上端部１３が展張バー１２に取り付けてある。
【００２４】
図６は支柱材６の下端部付近の側面図である。
図１、２、６に示すように、遮水シートの下端部８は２つの支柱材６の間において、ほぼ等間隔（４０ｃｍ程度の間隔）に５箇所で、それぞれ設置ピン９によって固定される。
また、シート固定具１１は、支柱材６の上部から下端部２４に達する長さとなっており、図２に示すように支柱材６に約１０ｃｍ間隔で設けてある６本のボルト２５を挿入できる６つの穴が設けてある。
そして、遮水シートの下端部８を設置ピン９によって固定した後、６つの穴に支柱材６の６本のボルト２５を挿入すると、支柱材６の近くにおいては図６に示すように遮水シート７が設置ピン９を包むように折り返され、シート固定具の下端部２６の下を経由して支柱材６との間に遮水シート７が挟まれる状態となる。
その後、上部の３本のボルト２５にノブナット２７を取り付けて、シート固定具１１が支柱材６に押し付けられる方向（時計回り）に回せば、遮水シート７はシート固定具１１と支柱材６との間に挟みつけられて固定される。
【００２５】
図７は遮水シート７の正面図である。
遮水シート７は幅約２２０ｃｍ、高さ約８４ｃｍの大きさであり、強度を上げるために下端部８及び上端部１３は折り返され、直径約６ｍｍの通しロープ２８、２９を入れて縫い付けてある。
また、遮水シートの下端部８から６ｃｍほど上側には設置ピン９のピン部分を通すための横長の穴３０が形成されている。
さらに、遮水シート７の左右両端付近には上端部１３から下端部８に向かって、長さ６０ｃｍ、幅８ｃｍ程度のシート補強部３１が設けられ、そのシート補強部３１には６本のボルト２５に対応する位置に６つの横長の穴３２が形成されている。
【００２６】
実施例の防水装置１を設置する際の具体的な作業手順は次のとおりである。
（１）ガードレール４を保持する複数本の支柱５の河川側に、それぞれ支柱材６を立て、Ｕボルト取付部１５の穴にＵボルト１８の両端を挿入し、ナット１９で締め付けて支柱材６を支柱５に固定する。
（２）展張バー１２を持ち上げ、支柱材６の河川側に遮水シートの下端部８を垂らし、展張バー１２の両端部をコの字型ボルト２０の支柱材６から突出した箇所に差し込んで、遮水シートの上端部１３が展張バー１２に吊着された状態とする。
（３）遮水シート７の道路側から横長の穴３０に、それぞれ設置ピン９のピン部分を差し込み、設置ピン９を道路２に打ち込んで遮水シートの下端部８を固定する。
（４）シート補強部３１に形成されている６つの横長の穴３２を、支柱材６に設けてある６本のボルト２５に差し込む。
なお、図４では支柱材６の右側に設置される遮水シート７の左端にある横長の穴３２を通し、その後支柱材６の左側に設置される遮水シート７の右端にある横長の穴３２を通しているが逆でも良い。
（５）支柱材６の河川側にシート固定具１１を立て、シート固定具１１に設けてある６つの穴に支柱材６に設けてある６本のボルト２５を挿入する。
（６）上部の３本のボルト２５にノブナット２７を取り付け時計回りに回す。
【００２７】
実施例の変形例を列記する。
（１）実施例においては、支柱材６を道路２と河川３の境界に沿って設置されているガードレール４を保持する支柱５の河川側に固定したが、支柱５の道路側に固定しても良い。
また、支柱材６はガードレール４を保持する支柱５に限らず水が流れ込む可能性のある領域（流水可能領域）と水が流れ込むのを防止したい領域（防護領域）の境界に沿って設けてある杭に固定しても良く、ガードレール４や杭に固定せず支柱材６を独立させて立設しても良い。
（２）実施例においては、遮水シート７を支柱材６の河川側に設置したが、支柱材６をガードレール４を保持する支柱５の道路側に固定した場合には、遮水シート７は支柱材６の道路側に設置する。
また、支柱材６を独立させて立設する場合には、遮水シート７を支柱材６の河川側に設置するか道路側に設置するかを選択することができる。
遮水シート７を支柱材６の道路側に設置した場合、遮水シート７が支柱材６の道路側にめくれ上がり易くなるが、遮水シート７を支柱材６に固定する作業を全て支柱材６より道路側で行うことができるので作業の安全性は高くなる。
【００２８】
（３）実施例の支柱材６は、立設した時に道路側となる部分の両側に第１フランジ部１６、河川側となる部分の両側に第２フランジ部１７を有していたが、このようなフランジ部に限らず、両側面に防水板等を差し込むことのできる長手方向に沿って延びる凹部を有していても良い。
また、防水板等の設置が不要な場合には、フランジ部や凹部を設けなくても良い。
（４）実施例においては、支柱材６の上端付近に展張バー１２の端部を固定して、隣り合う支柱材６の間に展張バー１２を掛け渡すようにしたが、遮水シート７は左右の端部が支柱材６とシート固定具１１に挟まれて固定されるので、展張バー１２は掛け渡さなくても良い。特に、遮水シートの上端部１３に通しロープ２９を設けた場合には、その通しロープ２９を支柱材６とシート固定具１１で挟んで固定すれば、遮水シート７が垂れ下がらないように保持できるので、展張バー１２の必要性は低くなる。
（５）実施例においては、展張バー１２を比較的剛性のある金属製とし、その両端はコの字型ボルト２０の支柱材６から突出した箇所に差し込んで固定できるようにほぼ直角に曲がっていたが、展張バー１２を柔軟性のあるワイヤやロープとし、その両端部にＬ字状又はＵ字状等のフックを取り付けても良く、フックを取り付けずにワイヤやロープの端部を直接コの字型ボルト２０や支柱材６の上端付近に固定しても良い。
【００２９】
（６）実施例においては、遮水シート７のハトメ２２にリング２３が通してあり、リング２３とカラビナ１４を用いて、遮水シートの上端部１３を展張バー１２に吊着できるようにしたが、リング２３を用いずにカラビナ１４を直接ハトメ２２に通しても良い。
また、遮水シート７にハトメ２２を設けず、針金等を用いて遮水シートの上端部１３又は通しロープ２９を直接展張バー１２に吊着又は固着するようにしても良い。
（７）実施例の遮水シート７は、２つの支柱材６の間において下端部８の５箇所を設置ピン９によって固定しているが、２つの支柱材６の中間部のみで固定しても良く、支柱材６の近傍２箇所のみで固定しても良い。そして、支柱材６の近傍２箇所と２つの支柱材６の間の１箇所又は複数箇所で固定すればより良い。
【００３０】
（８）実施例のシート固定具１１は、支柱材６の上部から下端部に達する長さとしているが、支柱材６の下端部に達する必要はなく、少なくとも支柱材６の上部に固定され遮水シートの上端部１３又は通しロープ２９を固定できるようになっていれば良い。
特に、遮水シートの下端部８が支柱材６の近傍において固定してある場合、支柱材６の下端部付近における遮水シート７のめくれ上がりを防げるので、シート固定具１１は支柱材６の上部のみに固定され、遮水シートの上端部１３又は通しロープ２９のみを固定するものとしても良い。
（９）実施例のシート固定具１１は、支柱材６の上部３箇所において固定しているが、少なくとも上部の１箇所において支柱材６に固定すれば良い。
ただし、上部の１箇所を含む２箇所以上で固定した方が、シート固定具１１と支柱材６との位置関係が変化しないのでより良い。特に、シート固定具１１が支柱材６の長手方向に沿って配置されている場合、上部の１箇所を含む２箇所以上で固定することにより、遮水シートの上端部１３と下端部８の間を長い範囲にわたって挟みつけることができるので好ましい。
（１０）実施例のシート固定具１１は、支柱材６に遮水シートの側端部１０を固定しているが、遮水シート７が３本以上の支柱材６にわたる場合、中間にある支柱材６に遮水シート７の中間部を固定しても良い。
（１１）実施例においては、ボルト２５にノブナット２７を取り付けて時計回りに回すことにより、遮水シート７をシート固定具１１と支柱材６との間に挟みつけるようにしているが、ノブナット２７に代えて通常のナットを用いても良く、ボルト及びナットによらず針金やロープ等によって固定しても良い。
また、支柱材６にネジ穴を設け、シート固定具１１に設けてある穴から蝶ネジやネジを差し込んで回すことにより、遮水シート７をシート固定具１１と支柱材６との間に挟みつけるようにしても良い。
【符号の説明】
【００３１】
１  防水装置      ２  道路      ３  河川      ４  ガードレール
５  支柱      ６  支柱材      ７  遮水シート      ８  遮水シートの下端部
９  設置ピン      １０  遮水シートの側端部      １１  シート固定具
１２  展張バー      １３  遮水シートの上端部      １４  カラビナ
１５  Ｕボルト取付部      １６  第１フランジ部      １７  第２フランジ部
１８  Ｕボルト      １９  ナット      ２０  コの字型ボルト      ２１  ナット
２２  ハトメ      ２３  リング      ２４  支柱材の下端部      ２５  ボルト
２６  シート固定具の下端部      ２７  ノブナット      ２８、２９  通しロープ
３０  横長の穴      ３１  シート補強部      ３２  横長の穴
【図１】
2017141601.tif 000003
【図２】
2017141601.tif 000004
【図３】
2017141601.tif 000005
【図４】
2017141601.tif 000006
【図５】
2017141601.tif 000007
【図６】
2017141601.tif 000008
【図７】
2017141601.tif 000009